(57)【特許請求の範囲】
【請求項１】
フレームに対し開閉自在に取付けられたドアパネルと、
フレームよりドアパネルの開閉部側に突設された係合体と、
ドアパネルに設けられ係合体と係合してドアパネルの開閉方向の動きを規制する係合解除可能なラッチ機構部とを具備し、
係合体およびラッチ機構部は、
相互に係合してドアパネルの開閉方向と交差する方向の動きを規制する一方の振止係合部および他方の振止係合部を一体に備え、
係合体は、
フレームに固定される１対の取付基板部と、
これらの取付基板部からラッチ機構部側に膨出形成された一方の振止係合部としての複数の振止斜面部と、
これらの振止斜面部間から突出されてラッチ機構部に挿入される係止部とを具備し、
ラッチ機構部は、
係合体の係止部と嵌合するラッチ溝部が切込み形成された１対の本体プレートと、
これらの本体プレートのラッチ溝部の開口側に位置する一部を折曲して一体形成され、係合体の複数の振止斜面部と面接触で密着して本体プレートの振動を抑える他方の振止係合部としての複数の振止規制部とを具備した
ことを特徴とする作業機械用ドア装置。
【請求項２】
一方の振止係合部および他方の振止係合部は、それぞれ上下方向に配置された
ことを特徴とする請求項１記載の作業機械用ドア装置。
【請求項３】
ラッチ機構部は、
本体プレートのラッチ溝部が、Ｕ字形に切込み形成され、
振止規制部が、ラッチ溝部の開口側にＶ字形に形成された
ことを特徴とする請求項１または２記載の作業機械用ドア装置。
【発明の詳細な説明】
【技術分野】
【０００１】
本発明は、ドアパネルにラッチ機構部が設けられた作業機械用ドア装置に関する。
【背景技術】
【０００２】
図１２は、作業機械としての油圧ショベル10を示し、下部走行体11に上部旋回体12が旋回可能に設けられ、この上部旋回体12上にキャブ13、作業装置14、エンジンなどの動力装置15が搭載されている。動力装置15は、上部カバー16およびサイドドア17などにより覆われている。これらの上部カバー16およびサイドドア17は、機体側のフレームにヒンジにより開閉自在に取付けられている。これらのサイドドア17などは、基本的にはラッチ装置18により機体側のフレームに閉じ状態で固定される（例えば、特許文献１、２、３参照）。
【０００３】
図１２に示されるようにサイドドア17には、上下振動を抑えるための振止部品19が、ラッチ装置18とは別部品として取付けられ、図１３に示されるように機体側のフレームに取付けられた上下振動規制体19aと係合させることで、サイドドア17の上下振動を抑えるようにしている。
【０００４】
このような上下振動を抑える手段としては、２つのドアの重ね合わされた部分を同時に振れ止めするものや（例えば、特許文献１参照）、ドア側のストッパ部材を機体側のフレームのストッパ受けと嵌合させるものがある（例えば、特許文献３参照）。
【特許文献１】特開２００１−２６２６１８号公報（第３−４頁、図２−４）
【特許文献２】特開２００７−１３７１８３号公報（第３頁、図３−５）
【特許文献３】特開２００７−１７０１１４号公報（第５−８頁、図２−７）
【発明の開示】
【発明が解決しようとする課題】
【０００５】
上下振動を抑えるための振止部品19を、ラッチ装置18とは別部品として加えることは、部品点数の増加に伴なう問題、例えば部品代などの点で効率が悪い問題がある。
【０００６】
また、発生する振動が大きな大型機などでは、複数の振止部品19が必要となるが、その際にレイアウト上の制約を受ける問題がある。
【０００７】
本発明は、このような点に鑑みなされたもので、ラッチ装置にドアパネルの振動を抑えるための振止部品を一体化することで、部品点数の減少と部品レイアウト作成の容易性とを図ることを目的とする。
【課題を解決するための手段】
【０００８】
請求項１に記載された発明は、フレームに対し開閉自在に取付けられたドアパネルと、フレームよりドアパネルの開閉部側に突設された係合体と、ドアパネルに設けられ係合体と係合してドアパネルの開閉方向の動きを規制する係合解除可能なラッチ機構部とを具備し、係合体およびラッチ機構部は、相互に係合してドアパネルの開閉方向と交差する方向の動きを規制する一方の振止係合部および他方の振止係合部を一体に備え、係合体は、フレームに固定される１対の取付基板部と、これらの取付基板部からラッチ機構部側に膨出形成された一方の振止係合部としての複数の振止斜面部と、これらの振止斜面部間から突出されてラッチ機構部に挿入される係止部とを具備し、ラッチ機構部は、係合体の係止部と嵌合するラッチ溝部が切込み形成された１対の本体プレートと、これらの本体プレートのラッチ溝部の開口側に位置する一部を折曲して一体形成され、係合体の複数の振止斜面部と面接触で密着して本体プレートの振動を抑える他方の振止係合部としての複数の振止規制部とを具備した作業機械用ドア装置である。
【０００９】
請求項２に記載された発明は、請求項１記載の作業機械用ドア装置において、一方の振止係合部および他方の振止係合部が、それぞれ上下方向に配置されたものである。
【００１０】
請求項３に記載された発明は、請求項１または２記載の作業機械用ドア装置におけるラッチ機構部が、本体プレートのラッチ溝部を、Ｕ字形に切込み形成し、振止規制部を、ラッチ溝部の開口側にＶ字形に形成したものである。
【発明の効果】
【００１１】
請求項１に記載された発明によれば、フレームの係合体およびドアパネル側のラッチ機構部は、相互に係合してドアパネルの開閉方向の動きを規制するが、ドアパネルの開閉方向と交差する方向の動きを規制する一方の振止係合部および他方の振止係合部も一体に備えたので、ドアパネルの開閉方向の動きを規制するラッチ装置にドアパネルの開閉方向と交差する方向の振動を抑えるための振止部品を一体化でき、部品点数の減少と部品レイアウト作成の容易性とを図ることができる。さらに、フレームの係合体は、取付基板部からラッチ機構部側に膨出形成された複数の振止斜面部と、これらの振止斜面部間から突出されてラッチ機構部に挿入される係止部とを備え、ドアパネル側のラッチ機構部は、係合体の係止部と嵌合するラッチ溝部が切込み形成された１対の本体プレートと、これらの本体プレートのラッチ溝部の開口側に位置する一部を折曲して一体形成され係合体の複数の振止斜面部と面接触で密着して本体プレートの振動を抑える複数の振止規制部とを備えたので、ラッチ装置にドアパネルの振動を抑えるための振止部品をコンパクトに一体化できる。
【００１２】
請求項２に記載された発明によれば、上下に配置された一方の振止係合部および他方の振止係合部により、ドアパネルの上下方向の振動を確実に抑えることができる。
【００１３】
請求項３に記載された発明によれば、本体プレートにＵ字形に切込み形成されたラッチ溝部の開口側に他方の振止係合部をＶ字形に形成することにより、他方の振止係合部の案内作用で係合体の係止部を本体プレートのラッチ溝部へ確実に挿入できるとともに、Ｖ字形の他方の振止係合部により係合体の一方の振止係合部を抑えることで、ドアパネルの振動を確実に防止できる。
【発明を実施するための最良の形態】
【００１４】
以下、本発明を、図１乃至図１１に示された一実施の形態を参照しながら詳細に説明する。
【００１５】
図１１は、作業機械としての油圧ショベル10を示し、下部走行体11に上部旋回体12が旋回可能に設けられ、この上部旋回体12上にキャブ13、作業装置14、エンジンなどの動力装置15が搭載されている。動力装置15は、上部カバー16およびサイドドア17などにより覆われている。
【００１６】
図６乃至図８は、サイドドア17のドアパネル20を示し、このドアパネル20は、外側板21と、この外側板21より薄い板金を凹凸状にプレス成形して外側板21の内側面に凹部を固定するとともに凸部と外側板21との間に空間を形成する内側板23と、これらの外側板21と内側板23との間の空間に充填された発泡材24とを具備している。
【００１７】
図６に示されるように、外側板21には、正６角形に形成された複数の通気穴25を通気穴25各辺の結合部を介してハニカム状に集合させたハニカム状通気穴集合部26が、穴加工により複数組設けられている。
【００１８】
図８に示されるように、内側板23は、凹状に成形されて外側板21に接合された凹部としての接合部27，28と、これらの接合部27，28に対し膨出成形された凸部29とを具備している。
【００１９】
内側板23の接合部27は、外側板21のハニカム状通気穴集合部26と対応して横方向に３列形成され、これらの接合部27には、外側板21のハニカム状通気穴集合部26より大きな通気用開口部30がそれぞれ穴加工により設けられている。
【００２０】
すなわち、外側板21のハニカム状通気穴集合部26と、内側板23の凹部としての接合部27に開口された通気用開口部30は、１対１で対応して複数組設けられているが、内側板23の通気用開口部30は、外側板21のハニカム状通気穴集合部26よりやや大きく形成されている。
【００２１】
外側板21の周縁部は、内側板23の周縁部を包みこむように折返して押しつぶすようにヘミング加工したへミング加工部33を備えている。
【００２２】
内側板23の少なくとも周縁部は、接着剤により外側板21に接着され、この接着剤により外側板21と内側板23とを接合するとともにシールする。接着剤は、粘性と熱硬化性を有するペーストタイプ構造用接着剤が望ましい。
【００２３】
内側板23の一側部内には外側板21に接着された内部補強板（図に表れず）が設けられ、内側板23に開口されたヒンジ取付窓34，35を通して、内部補強板にヒンジ36，37が溶接などで取付けられている。
【００２４】
図５に示されるように、これらのヒンジ36，37により、油圧ショベルの機体側のフレーム41に対しサイドドア17のドアパネル20の一側部が開閉自在に取付けられている。このドアパネル20のヒンジ36，37とは反対側には、ラッチ装置42のラッチ機構部43が設けられている。一方、ドアパネル20の開閉にともないドアパネル20が当接される方向に対向して機体側のフレーム41よりラッチ装置42の係合体としてのストライカ44が突設され、このストライカ44に対しドアパネル20側に設けられたラッチ機構部43が係脱可能となっている。
【００２５】
図１および図２に示されるように、ストライカ44は、機体側のフレーム41に固定される上下１対の取付基板部45と、これらの取付基板部45からラッチ機構部43側にＶ字状に膨出形成された一方の振止係合部としての複数の振止斜面部46と、これらの振止斜面部46間の先端平面部47から突出されてラッチ機構部43に挿入される丸形断面部材によりコ字形に成形された係止部としてのフック金具48とを備えている。
【００２６】
このストライカ44の各取付基板部45には、図４に示されるように上下方向に細長く形成された長穴49がそれぞれ設けられ、これらの長穴49に図１に示されるように挿入されたボルト50により、ストライカ44が機体側のフレーム41に取付けられる。その際に、長穴49の範囲内でストライカ44の上下方向位置を調整できる。
【００２７】
図１乃至図３に示されるように、ラッチ機構部43は、ドアパネル20に取付けられる取付板51に機構本体部52を構成する一対の本体プレート52a，52bが、それぞれボルト53およびナット54により取付けられ、この機構本体部52の本体プレート52a，52bには、ストライカ44のフック金具48と嵌合するラッチ溝部55がそれぞれＵ字形に切込み形成され、これらの各ラッチ溝部55の開口側に他方の振止係合部としての複数の振止規制部56がそれぞれＶ字形に一体形成されている。これらの振止規制部56は、ラッチ溝部55の開口側に位置する本体プレート52a，52bの一部を外側へ折曲して形成する。
【００２８】
ストライカ44の複数の振止斜面部46およびラッチ機構部43の複数の振止規制部56は、それぞれ上下に配置され、上下の振止規制部56は、ストライカ44の上下の振止斜面部46と面接触で密着して機構本体部52の上下方向の振動を抑える。
【００２９】
取付板51には、図３に示されるように操作板収納部57が設けられ、この操作板収納部57の内部には、図１に示されるように係合解除用の操作板58が軸59により回動可能に取付けられている。
【００３０】
図３に示されるように、ラッチ機構部43は、機構本体部52の１対の本体プレート52a，52bの一側部間に回動自在に軸支されたラッチプレート61と、１対の本体プレート52a，52bの他側部間に回動自在に軸支されたロック体62とを備えている。
【００３１】
ラッチプレート61は、ストライカ44のフック金具48が図２に示されるようにラッチ溝部55に挿入されるときにこのフック金具48を受入れる受入溝63を有し、この受入溝63がラッチ溝部55の開口側に開放される角度にスプリング64で附勢されストッパ65で係止されているが、フック金具48の挿入動作に応じて回動することでその受入溝63を閉じることができる。
【００３２】
ロック体62は、ラッチプレート61の周面にスプリング66で附勢されて、受入溝63を閉じた角度のラッチプレート61を係止する。このロック体62の係止は、操作板58の回動と連動する係合解除体67により解除する。係合解除体67は、隣接して設置された施錠装置68により、その係合解除動作を規制される。
【００３３】
このラッチ機構部43の取付板51は、リベット69によりドアパネル20に取付ける。
【００３４】
次に、この実施の形態の作用効果を説明する。
【００３５】
図５に示されるように一側の機体側のフレーム41にヒンジ36，37により開閉自在に取付けられたサイドドア17のドアパネル20が、他側の機体側のフレーム41に向かって閉じられるときは、図９に示されるように、機体側のフレーム41にボルト50およびナット50aにより取付けられたストライカ44に向かってドアパネル20のラッチ機構部43が移動し、その機構本体部52に設けられたラッチ溝部55に、図１０に示されるようにストライカ44のフック金具48が挿入される。
【００３６】
その際、ラッチプレート61の受入溝63がストライカ44のフック金具48により押圧されて、図１０に示されるように、ラッチプレート61が回転し、ストライカ44のフック金具48を拘束係止する。
【００３７】
このとき、ラッチ機構部43の機構本体部52に一体に設けられた上下の振止規制部56と、ストライカ44に一体に設けられた上下の振止斜面部46とが係合するので、サイドドア17のドアパネル20は、上下方向の振動を起こさないように規制される。
【００３８】
したがって、図７に示されるように薄く形成されて軽量化を図れる内側板23と、厚く形成されて外側からの衝撃に対する強度を確保できる外側板21との間に充填された発泡材24により、ドアパネル20から発生する音を減衰させて、低騒音化を図ることができるとともに、ラッチ機構部43とストライカ44との間での上下方向の振動を、上下の振止斜面部46と上下の振止規制部56との係合により規制することでも、ドアパネル20から振動音が発生することを抑制して、低騒音化を図ることができる。
【００３９】
機体側のフレーム41のストライカ44およびドアパネル20のラッチ機構部43は、相互に係合してドアパネル20の開閉方向の動きを規制するが、ドアパネル20の開閉方向と交差する上下方向の動きを規制する複数の振止斜面部46およびこれらの振止斜面部46と係合する複数の振止規制部56も一体に備えたので、ドアパネル20の開閉方向の動きを規制するラッチ装置42にドアパネル20の開閉方向と交差する方向の振動を抑えるための振止部品を一体化でき、部品点数の減少と部品レイアウト作成の容易性とを図ることができる。
【００４０】
特に、機体側のフレーム41に取付けられたストライカ44は、取付基板部45からラッチ機構部43側に膨出形成された複数の振止斜面部46と、これらの振止斜面部46間から突出されてラッチ機構部43に挿入されるフック金具48とを備え、ドアパネル20側のラッチ機構部43は、ストライカ44のフック金具48と嵌合するラッチ溝部55が切込み形成された機構本体部52と、この機構本体部52のラッチ溝部55の開口側に一体形成されストライカ44の複数の振止斜面部46と面接触で密着して機構本体部52の振動を抑える複数の振止規制部56とを備えたので、ラッチ装置42にドアパネル20の振動を抑えるための振止部品をコンパクトに一体化できる。
【００４１】
上下に配置された複数の振止斜面部46および複数の振止規制部56により、ドアパネル20の上下方向の振動を確実に抑えることができる。
【００４２】
機構本体部52にＵ字形に切込み形成されたラッチ溝部55の開口側に振止規制部56をＶ字形に形成することにより、振止規制部56の案内作用でストライカ44のフック金具48を機構本体部52のラッチ溝部55へ確実に挿入できるとともに、Ｖ字形の振止規制部56によりストライカ44の振止斜面部46を抑えることで、ドアパネル20の振動を確実に防止できる。
【００４３】
なお、図示された実施の形態では、一方の振止係合部をストライカ44側の振止斜面部46とし、他方の振止係合部をラッチ機構部43側の振止規制部56としたが、この位置関係を逆にして、一方の振止係合部をラッチ機構部43側の振止規制部56とし、他方の振止係合部をストライカ44側の振止斜面部46としても良い。
【００４４】
例えば、ラッチ機構部43の本体プレート52a，52bを加工して、これらの本体プレート52a，52bの上下部に一方の振止係合部をそれぞれ設けるとともに、ストライカ44の取付基板部45を加工して、その取付基板部45の上下端部から本体プレート52a，52b側へ突出する振止規制部をそれぞれ設けても良い。
【００４５】
本発明は、油圧ショベルなどの作業機械のサイドドア、リアドアなどに利用可能である。
【図面の簡単な説明】
【００４６】
【図１】本発明に係る作業機械用ドア装置に設けられたラッチ装置の一実施の形態を示す斜視図である。
【図２】同上ラッチ装置の結合状態を示す斜視図である。
【図３】同上ラッチ装置のラッチ機構部を示す斜視図である。
【図４】同上ラッチ装置の係合体としてのストライカを示す斜視図である。
【図５】同上ラッチ装置の装着状態を示す斜視図である。
【図６】同上ラッチ装置のラッチ機構部が装着されたドアパネルの外面図である。
【図７】図６のVII−VII線断面図である。
【図８】同上ラッチ装置のラッチ機構部が装着されたドアパネルの内面側の斜視図である。
【図９】同上ラッチ装置の結合前の状態を示す側面図である。
【図１０】同上ラッチ装置の結合後の状態を示す側面図である。
【図１１】本発明に係る作業機械用ドア装置を備えた作業機械の平面図である。
【図１２】従来のドア装置を備えた作業機械の斜視図である。
【図１３】従来のドア装置に設けられた上下振動規制手段を示す斜視図である。
【符号の説明】
【００４７】
20    ドアパネル
41    機体側のフレーム
43    ラッチ機構部
44    係合体としてのストライカ
45    取付基板部
46    一方の振止係合部としての振止斜面部
48    係止部としてのフック金具
52a，52b 本体プレート
55    ラッチ溝部
56    他方の振止係合部としての振止規制部
【図１】
0005004231.tif 000002
【図２】
0005004231.tif 000003
【図３】
0005004231.tif 000004
【図４】
0005004231.tif 000005
【図５】
0005004231.tif 000006
【図６】
0005004231.tif 000007
【図７】
0005004231.tif 000008
【図８】
0005004231.tif 000009
【図９】
0005004231.tif 000010
【図１０】
0005004231.tif 000011
【図１１】
0005004231.tif 000012
【図１２】
0005004231.tif 000013
【図１３】
0005004231.tif 000014